(57)【要約】      （修正有）【課題】構造が簡単で、目地部が狭くなっても目地パネルを中央部で回動させることにより、安全に使用することがでる天井用目地装置を得る。【解決手段】一方の天井躯体3aに先端部が他方の天井躯体方向の上方へ突出するように支持され、先端部が上方へ回動する支持アーム5と、この支持アームの目地部のほぼ中央部に位置する部位に枢支された吊り下げアーム7と、この下端部にほぼ中央部で他方の天井躯体3a側が重くなる部位に枢支され、一方の傾斜面10と面接触する傾斜面が先端部に形成された一方の天井躯体に取り付けられた下方へのガイド片と、他方の傾斜面11と面接触する傾斜面15が先端部に形成された他方の天井躯体に取り付けられた上方へのガイド片16と、地震等で目地部2が狭くなるように動いた場合に、支持アームの先端部を上方へ回動することができるように他方の天井躯体に取り付けられた押し上げ片17あるいは、ローラとで天井用目地装置を構成する。【選択図】  図８
2005042483.tif 000002
【特許請求の範囲】
【請求項１】
目地部を介して設置された左右の建物の目地部側の一方の天井躯体に先端部が他方の天井躯体方向の上方へ突出するように支持されるとともに、先端部が上方へ回動可能に支持する支持具で支持された支持アームと、この支持アームの前記目地部のほぼ中央部に位置する部位に枢支された吊り下げアームと、この吊り下げアームの下端部にほぼ中央部で他方の天井躯体側が重くなる部位に枢支され、一方の天井躯体側の上面に傾斜面が形成され、他方の天井躯体側の下面に傾斜面が形成された目地パネルと、この目地パネルの一方の傾斜面と面接触する傾斜面が先端部に形成された一方の天井躯体に取り付けられた下方へのガイド片と、前記目地パネルの他方の傾斜面と面接触する傾斜面が先端部に形成された他方の天井躯体に取り付けられた上方へのガイド片と、地震等で目地部が狭くなるように揺れ動いた場合に、前記支持アームの先端部を上方へ回動するように押し付けることができるように他方の天井躯体に取り付けられた押し上げ片あるいは、該支持アームの先端部に取り付けられたローラとからなることを特徴とする天井用目地装置。
【請求項２】
目地部を介して設置された左右の建物の目地部側の一方の天井躯体に先端部が他方の天井躯体方向の上方へほぼ３０度の傾斜で突出するように支持されるとともに、先端部が上方へ回動可能に支持する支持具で支持された少なくとも２個以上の支持アームと、この少なくとも２個以上の支持アームの前記目地部のほぼ中央部に位置する部位にそれぞれ枢支され、下端部が他方の天井躯体方向に傾斜する少なくとも２個以上の吊り下げアームと、この少なくとも２個以上の吊り下げアームの下端部にほぼ中央部で他方の天井躯体側が重くなる部位に枢支され、一方の天井躯体側の上面に傾斜面が形成され、他方の天井躯体側の下面に傾斜面が形成された目地パネルと、この目地パネルの一方の傾斜面と面接触する傾斜面が先端部に形成された一方の天井躯体に取り付けられた下方へのガイド片と、前記目地パネルの他方の傾斜面と面接触する傾斜面が先端部に形成された他方の天井躯体に取り付けられた上方へのガイド片と、地震等で目地部が狭くなるように揺れ動いた場合に、前記少なくとも２個以上の支持アームの先端部を上方へ回動するように押し付けることができる他方の天井躯体に取り付けられた押し上げ片あるいは支持アームの先端部に取り付けられたローラとからなることを特徴とする天井用目地装置。
【発明の詳細な説明】
【技術分野】
【０００１】
本発明は目地部を介して設置された左右の建物の天井部分の目地部を覆う天井用目地装置に関する。
【背景技術】
【０００２】
従来のこの種の天井用目地装置は、天井用目地部を覆う目地パネルの一端部を一方の天井躯体にヒンジ部材で取り付け、他端部に目地部が狭くなると他方の天井躯体に取り付けられた押し圧片によって回動するように傾斜面に形成するとともに、目地パネルを常時目地部を閉じる方向に付勢するリンク機構等を用いた目地パネル付勢機構を用いていた。
【０００３】
したがって、構造が複雑で、コスト高になるとともに、目地部が狭くなった場合には、目地パネルの寸法分だけ目地パネルの遊端部が大きく突出するという欠点があった。
【特許文献１】特許第３１５４９６３号公報
【発明の開示】
【発明が解決しようとする課題】
【０００４】
本発明は以上のような従来の欠点に鑑み、構造が簡単で、容易に設置することができるとともに、目地部が狭くなっても支持アームの回動および目地パネルをほぼ中央部で回動させることにより、目地パネルが大きく突出することなく、安全に使用することができ、かつ確実に作動する安価な天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設置された左右の建物の目地部側の一方の天井躯体に先端部が他方の天井躯体方向の上方へ突出するように支持されるとともに、先端部が上方へ回動可能に支持する支持具で支持された支持アームと、この支持アームの前記目地部のほぼ中央部に位置する部位に枢支された吊り下げアームと、この吊り下げアームの下端部にほぼ中央部で他方の天井躯体側が重くなる部位に枢支され、一方の天井躯体側の上面に傾斜面が形成され、他方の天井躯体側の下面に傾斜面が形成された目地パネルと、この目地パネルの一方の傾斜面と面接触する傾斜面が先端部に形成された一方の天井躯体に取り付けられた下方へのガイド片と、前記目地パネルの他方の傾斜面と面接触する傾斜面が先端部に形成された他方の天井躯体に取り付けられた上方へのガイド片と、地震等で目地部が狭くなるように揺れ動いた場合に、前記支持アームの先端部を上方へ回動するように押し付けることができるように他方の天井躯体に取り付けられた押し上げ片あるいは、該支持アームの先端部に取り付けられたローラとで天井用目地装置を構成している。
【発明の効果】
【０００７】
以上の説明から明らかなように、本発明にあっては次に列挙する効果が得られる。
【０００８】
(１)目地部を介して設置された左右の建物の目地部側の一方の天井躯体に先端部が他方の天井躯体方向の上方へ突出するように支持されるとともに、先端部が上方へ回動可能に支持する支持具で支持された支持アームと、この支持アームの前記目地部のほぼ中央部に位置する部位に枢支された吊り下げアームと、この吊り下げアームの下端部にほぼ中央部で他方の天井躯体側が重くなる部位に枢支され、一方の天井躯体側の上面に傾斜面が形成され、他方の天井躯体側の下面に傾斜面が形成された目地パネルと、この目地パネルの一方の傾斜面と面接触する傾斜面が先端部に形成された一方の天井躯体に取り付けられた下方へのガイド片と、前記目地パネルの他方の傾斜面と面接触する傾斜面が先端部に形成された他方の天井躯体に取り付けられた上方へのガイド片と、地震等で目地部が狭くなるように揺れ動いた場合に、前記支持アームの先端部を上方へ回動するように押し付けることができるように他方の天井躯体に取り付けられた押し上げ片あるいは、該支持アームの先端部に取り付けられたローラとで構成されているので、目地部を覆う目地パネルを目地部が狭くなった場合に、ほぼ中央部の枢支部を支点にほぼ９０度回動させることができる。
したがって、該目地パネルの回動時に目地パネルの突出量を従来の一端部を枢支するものに比べ、ほぼ半分にすることができる。
【０００９】
（２）前記(１)によって、目地パネルの回動時には該目地パネルのほぼ中央部を枢支する吊り下げアームが上方へ回動して、目地パネルを上方へ移動させるこ  とができる。
したがって、目地パネルの突出量をさらに小さくすることができ、安全に使用することができる。
【００１０】
（３）前記(１)によって、支持アームを上方へ突出するように支持させているので、目地部が狭くなるように左右の建物が揺れ動いた場合には、他方の天井躯体によってスムーズに上方へ回動移動させることができる。
したがって、スムーズに支持アームが作動するため、損傷しづらく、確実に  作動させることができる。
【００１１】
（４）前記(１)によって、支持アーム、吊り下げアームで目地パネルを支持するので、支持構造が簡単で、容易に設置することができるとともに、安価にするこ  とができる。
【００１２】
（５）請求項２も前記(１)〜(４)と同様な効果が得られる。
【発明を実施するための最良の形態】
【００１３】
以下、図面に示す本発明を実施するための最良の形態により、本発明を詳細に説明する。
【００１４】
図１ないし図８に示す本発明を実施するための最良の第１の形態において、１は目地部２を介して設置された左右の建物３、３の天井部分の目地部２を覆う本発明の天井用目地装置で、この天井用目地装置１は前記左右の建物３、３の目地部２側の一方の天井躯体３ａに先端部が他方の天井躯体３ａ方向の上方へ突出するように支持されるとともに、先端部が上方へ回動可能に支持する支持具４で支持された支持アーム５と、この支持アーム５の前記目地部２のほぼ中央部に位置する部位に枢支ピン６で枢支された下端部が他方の天井躯体３ａ方向に傾斜する吊り下げアーム７と、この吊り下げアーム７の下端部にほぼ中央部で他方の天井躯体３ａ側が重くなる部位に固定されたチャンネル状の取付金具８に枢支ピン９で枢支され、前記一方の天井躯体３ａ側の上面に傾斜面１０が形成され、前記他方の天井躯体３ａ側の下面に傾斜面１１が形成された目地パネル１２と、この目地パネル１２の一方の傾斜面１０と面接触する傾斜面１３が先端部に形成された一方の天井躯体３ａに固定的に取り付けられた下方へのガイド片１４と、前記目地パネル１２の他方の傾斜面１１と面接触する傾斜面１５が先端部に形成された他方の天井躯体３ａに固定的に取り付けられた上方へのガイド片１６と、地震等で目地部２が狭くなるように揺れ動いた場合に、前記支持アーム５の先端部を上方へ回動するように押し付けることができる他方の天井躯体３ａに固定的に取り付けられた押し上げ片１７とで構成されている。
【００１５】
前記支持具４は図５に示すように、一方の天井躯体３ａに複数本のビス１８等によって固定されるチャンネル状の支持具本体１９と、この支持具本体１９の両側壁１９ａ、１９ａの先端部寄りの部位に取り付けられた、前記支持アーム５の後端部寄りの部位を枢支する枢支ピン２０と、前記支持具本体１９の両側壁１９ａ、１９ａの後部寄りの部位に取り付けられた、前記支持アーム５をほぼ３０度傾斜した状態で該支持アーム５の後端部の上面と当接して支持する支持ピン２１とで構成されている。
【００１６】
前記支持アーム５は図６に示すように、棒状の一対のアーム本体２２、２２と、この一対のアーム本体２２、２２の後端部に一体あるいは溶接等によって固定された後部間隔保持体２３と、前記一対のアーム本体２２、２２の先端部に一体あるいは溶接等によって固定された下面が傾斜面２４の先部間隔保持体２５とで構成されている。
【００１７】
上記構成の天井用目地装置１は、通常時には図３に示すように天井目地部２を目地パネル１２、下方へのガイド片１４および上方へのガイド片１６によって覆った状態となっている。
【００１８】
地震等によって目地部が広くなるように左右の建物３、３が揺れ動いた場合には、図７に示すように支持アーム５、吊り下げアーム７および目地パネル１２は一方の天井躯体３ａ側に同じ状態で位置し、他方の天井躯体３ａが離れていくように作動して、その揺れ動きを吸収する。
【００１９】
目地部２が狭くなるように左右の建物３、３が揺れ動いた場合には、図８に示すように目地パネル１２の両端部は下方へのガイド片１４および上方へのガイド片１６の押し圧によって矢印方向に回動するとともに、支持アーム５の先端部が押し上げ片１７によって上方へ押し上げられ上方へ回動するため、吊り下げアーム７も上方へ移動して目地パネル１２の室内側への突出量を小さくするように移動して、その揺れ動きを吸収する。
なお、揺れ動きが停止すると、目地パネル１２の他方側が重いため、自動的に元の状態へ戻る。
｛発明を実施するための異なる形態｝
【００２０】
次に、図９ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図９ないし図１１に示す本発明を実施するための第２の形態において、前記本発明を実施するための最良の第１の形態と主に異なる点は、それぞれ棒状の吊り下げアーム７Ａ、７Ａを取り付けた棒状の支持アーム５Ａ、５Ａを２個以上用いるとともに、該支持アーム５Ａ、５Ａの先端部に他方の天井躯体３ａ上を転動するローラ２６をそれぞれ取り付けた点で、このように構成した天井用目地装置１Ａにしても、前記本発明を実施するための最良の第１の形態と同様な作用効果が得られるとともに、大きな天井目地部でも確実に覆うことができる。
【００２２】
図１２ないし図１５に示す本発明を実施するための第３の形態において、前記本発明を実施するための第２の形態と主に異なる点は、目地パネル１２の他方側に重り２７を設けるとともに、吊り下げアーム７Ａ、７Ａのほぼ中央部と目地パネル１２の他方端寄りの部位との間に、該目地パネル１２がほぼ水平状態で係止するロープやワイヤー等の紐２８、２８を取り付けた点で、このように構成した天井用目地装置１Ｂにしても、前記本発明を実施するための第２の形態と同様な作用効果が得られるとともに、より設置作業を容易に行なうことができる。
【産業上の利用可能性】
【００２３】
本発明は天井用目地装置を製造する産業および、これを設置する産業で利用される。
【図面の簡単な説明】
【００２４】
【図１】本発明を実施するための最良の第１の形態の底面図。
【図２】本発明を実施するための最良の第１の形態の平面図。
【図３】図２の３−３線に沿う拡大断面図。
【図４】図２の４−４線に沿う拡大断面図。
【図５】本発明を実施するための最良の第１の形態の支持具の説明図。
【図６】本発明を実施するための最良の第１の形態の支持アームの説明図。
【図７】本発明を実施するための最良の第１の形態の目地部が広くなった動作説明図。
【図８】本発明を実施するための最良の第１の形態の目地部が狭くなった動作説明図。
【図９】本発明を実施するための第２の形態の平面図。
【図１０】図９の１０−１０線に沿う拡大断面図。
【図１１】本発明を実施するための第２の形態の目地部が狭くなった動作説明図。
【図１２】本発明を実施するための第３の形態の平面図。
【図１３】図１２の１３−１３線に沿う拡大断面図。
【図１４】本発明を実施するための第３の形態の目地部が狭くなった動作説明図。
【図１５】本発明を実施するための第３の形態の目地部が広くなった動作説明図。
【符号の説明】
【００２５】
１、１Ａ、１Ｂ：天井用目地装置、
２：目地部、                        ３：建物、
４：支持具、                                    ５、５Ａ：支持アーム、
６：枢支ピン、                    ７，７Ａ：吊り下げアーム、
８：取付金具、                    ９：枢支ピン、
１０：傾斜面、                    １１：傾斜面、
１２：目地パネル、                        １３：傾斜面、
１４：下方へのガイド片、１５：傾斜面、
１６：上方へのガイド片、１７：押し上げ片、
１８：ビス、                                    １９：支持具本体、
２０：枢支ピン、                ２１：支持ピン、                
２２：アーム本体、                        ２３：後部間隔保持体、    
２４：傾斜面、                    ２５：先部間隔保持体、
２６：ローラ、                    ２７：重り、            
２８：紐。
【図１】
2005042483.tif 000003
【図２】
2005042483.tif 000004
【図３】
2005042483.tif 000005
【図４】
2005042483.tif 000006
【図５】
2005042483.tif 000007
【図６】
2005042483.tif 000008
【図７】
2005042483.tif 000009
【図８】
2005042483.tif 000010
【図９】
2005042483.tif 000011
【図１０】
2005042483.tif 000012
【図１１】
2005042483.tif 000013
【図１２】
2005042483.tif 000014
【図１３】
2005042483.tif 000015
【図１４】
2005042483.tif 000016
【図１５】
2005042483.tif 000017